(57)【要約】【課題】防音パネルの設置の障害となるような街路灯などが設置されているような様々な設置場所で取り付け可能な防音パネル体、及び防音パネル体の取付構造を提供する。【解決手段】少なくとも２個の防音パネルを横方向に連結させた防音パネル体であり、連結された前記各防音パネルを連結部で互いに回動可能とし、左右の端にそれぞれ配置させた防音パネルの側端に、被取付部へ取り付ける取付部をそれぞれ取り付けると共に、この各取付部を前記防音パネルの側端に対して回動可能に設ける。前記各防音パネルを連結部で回動させて各取付部の左右の間隔の大きさを調整し、様々な設置場所へ防音パネル体を設置できる。また、取付部を回動させその向きを調整し、前記被取付部へ取り付け可能となされるので、防音パネル体を容易に設置できる。【選択図】        図１
2014058806.tif 000002
【特許請求の範囲】
【請求項１】
少なくとも２個の防音パネルが横方向に連結された防音パネル体であって、
連結された前記各防音パネルは連結部で互いに回動可能となされており、
左右の端にそれぞれ配置された防音パネルの側端には、被取付部へ取り付けられる取付部がそれぞれ取り付けられると共に、該各取付部は前記防音パネルの側端に対して回動可能に設けられていることを特徴とする防音パネル体。
【請求項２】
並設される２本の支柱の間に取り付けられる防音パネル体の取付構造であって、
前記各支柱には防音部材が互いに間隔をあけてそれぞれ取り付けられ、
前記一方の防音部材に前記請求項１に記載の防音パネル体の一方の側端に取り付けられた前記取付部が取り付けられ、前記他方の防音部材に前記防音パネル体の他方の側端に取り付けられた前記取付部が取り付けられていることを特徴とする防音パネル体の取付構造。
【請求項３】
前記防音部材の後面には、前記防音パネル体の取付部を取り付け可能な被取付部が設けられており、前記取付部は左右への位置調整可能に前記被取付部に取り付けられていることを特徴とする請求項２に記載の防音パネル体の取付構造。
【発明の詳細な説明】
【技術分野】
【０００１】
本発明は、車両等の走行に伴う騒音の伝播を抑制させるために、高速道路や鉄道の沿線等に沿って設けられる防音壁において、街路灯などの障害物を回避して設置させる防音パネル体、及び防音パネル体の取付構造に関するものである。
【背景技術】
【０００２】
高速道路などに沿って設置され、車両からの騒音の伝播を抑制させる防音壁は、Ｈ鋼を用いた支柱を複数立設させ、遮音性や吸音性を備える防音パネルの両端を並設させた前記支柱へそれぞれ取り付けて設置させる構造が主に用いられている。
【０００３】
例えば、特許文献１には、所定間隔をおいて立設された断面Ｈ形の支柱と、支柱間に取付けられた防音パネルと、下端部が固定されて防音パネルの端部側面に予め取付けられた板バネとを有し、防音パネルの端部を板バネと共に支柱の相対向するフランジ間に挿入させ、板バネをフランジ内面に弾性押圧させた防音パネルの取付構造、本出願人によって提案されている。
【先行技術文献】
【特許文献】
【０００４】
【特許文献１】特開平９−３８３４号公報
【発明の概要】
【発明が解決しようとする課題】
【０００５】
通常の場合は、上記のように各支柱間に防音パネルを架設させるように取り付ける構造を好適に用いることができるが、防音パネルの設置場所付近に街路灯などが設置されていた場合、これが防音パネルの設置の障害となることがあった。
【０００６】
本発明は、様々な設置場所で取り付け可能な防音パネル体、及び防音パネル体の取付構造に関するものである。
【課題を解決するための手段】
【０００７】
上記目的を達成するため、本発明は以下のような構成としている。
すなわち本発明に係る防音パネル体は、少なくとも２個の防音パネルが横方向に連結された防音パネル体であって、
連結された前記各防音パネルは連結部で互いに回動可能となされており、
左右の端にそれぞれ配置された防音パネルの側端には、被取付部へ取り付けられる取付部がそれぞれ取り付けられると共に、該各取付部は前記防音パネルの側端に対して回動可能に設けられていることを特徴としている。
【０００８】
本発明に係る防音パネル体によれば、少なくとも２個の防音パネルを横方向に連結させ、連結させた前記各防音パネルを連結部で互いに回動可能とし、左右の端にそれぞれ配置させた防音パネルの側端に、被取付部へ取り付ける取付部をそれぞれ取り付けるので、前記各防音パネルを連結部で回動させて各取付部の左右の間隔の大きさを調整し、様々な設置場所へ防音パネル体を設置できる。
また、前記各取付部を前記防音パネルの側端に対して回動可能に設けるので、取付部を回動させその向きを調整し、前記被取付部へ取り付け可能となされるので、防音パネル体を容易に設置できる。
【０００９】
また、本発明に係る防音パネル体の取付構造によれば、並設される２本の支柱に防音部材を互いに間隔をあけてそれぞれ取り付け、前記一方の防音部材に前記防音パネル体の一方の側端に取り付けた前記取付部を取り付け、前記他方の防音部材に前記防音パネル体の他方の側端に取り付けた前記取付部を取り付けるので、各防音パネルを前記連結部で回動させて前記防音パネル体の形状を容易に変化させて設けることができ、前記各防音部材間に障害物が存在するような場合でも、この障害物を迂回可能な形状に前記防音パネル体を設けて取り付けることができる。
【００１０】
また、前記防音部材の後面に、前記防音パネル体の取付部を取り付け可能な被取付部を設け、前記取付部を左右への位置調整可能に前記被取付部へ取り付ければ、前記防音パネル体や前記各防音部材の寸法に誤差などが生じた場合でも、前記被取付部での取付部の取付位置を調整して、容易に取り付けることができるので、好ましい。また、前記各防音部材間に障害物が存在するような場合でも、前記被取付部での取付部の取付位置を調整して、前記防音パネル体がこの障害物へ接触しないように容易に取り付けることができるので好ましい。
【発明の効果】
【００１１】
本発明に係る防音パネル体及び防音パネル体の取付構造によれば、様々な設置場所で防音パネル体を取り付けることができる。
【図面の簡単な説明】
【００１２】
【図１】本発明に係る防音パネル体の実施の一形態を示す、（イ）は平面図であり、（ロ）は正面図である。
【図２】図１の防音パネル体の背面図である。
【図３】図１の防音パネル体の連結部の概要を示す平面図である。
【図４】図１の防音パネル体の取付部の概要を示す断面図である。
【図５】本発明に係る防音パネル体の取付構造の実施の一形態を示す、（イ）は平面図であり、（ロ）は正面図である。
【図６】図５の防音パネル体の取付構造の背面図である。
【図７】図５の防音部材を示す、（イ）は平面図であり、（ロ）は正面図であり、（ハ）は側面図である。
【図８】図７の防音部材の背面図である。
【図９】防音部材の被取付部の断面を示す図８のＡ−Ａ断面図である。
【図１０】図５の防音パネル体の取付部と防音部材との取り付けの状況を示す要部の平面図である。
【図１１】本発明に係る防音パネル体の取付構造の実施の他の一形態を示す平面図である。
【発明を実施するための形態】
【００１３】
本発明の実施の形態を図面に基づき具体的に説明する。
図面において、Ｐは防音パネル体である。
本実施形態の防音パネル体Ｐは、横方向に配置された３個の防音パネルｐ１、ｐ２、ｐ３が、それぞれ連結部２で連結されて構成されている。
各防音パネルｐ１〜ｐ３は、上下方向の大きさが同一の略直方体状の箱体にそれぞれ形成されている。
そして、図１において、防音パネルｐ２の図中左側の側端に防音パネルｐ１の右側側端が連結されると共に、防音パネルｐ２の図中右側の側端に防音パネルｐ３の左側側端が連結されて、それぞれ取り付けられている。
【００１４】
本実施形態の各防音パネルｐ１〜ｐ３は、前面を構成する前面板１１と、上側と下側とがそれぞれ前方へ折り曲げられて、上面と後面と下面とを構成する背面板１２と、両側の側面をそれぞれ構成する２個の側面板１３とを備える、中空箱状に形成させており、内側の中空部分に吸音材を内装させている。
前記前面板１１には、内側の中空部分に通じるスリット状の穴部Ｈを複数形成させており、前方側からの騒音が前記前記穴部Ｈから各防音パネルｐ１〜ｐ３の内側へ入り、吸音材で吸音させて効率良く低減させるように設けている。
【００１５】
図３は図１の防音パネル体Ｐの連結部２の概要を示す平面図である。
図３は、防音パネルｐ１と防音パネルｐ２とを連結させた連結部２を拡大して表している。
本実施形態の連結部２は、２枚の板状体２１、２２が軸部２３で蝶番状に連結されて回動自在となされており、一方の板状体２１の板面を前記防音パネルｐ１の側面板１３へ当接させて取り付けられ、他方の板状体２２の板面を前記防音パネルｐ２の側面板１３へ当接させて取り付けられて、各防音パネルｐ１、ｐ２を連結させている。
本実施形態の防音パネルｐ１は、上下に間隔をあけて配置された４個の連結部２により防音パネルｐ２へ蝶番状に連結されている。
また、本実施形態の連結部２は、軸部２３の軸方向を上下方向へ向け、前記軸部２３が前記各防音パネルｐ１、ｐ２のそれぞれの前縁付近に配置されるように各側面板１３に取り付けられており、前記防音パネルｐ１が前記防音パネルｐ２の側方と前方の間で矢印Ｙに示す方向へ軸部２３を回転軸とした回動が可能となされている。
【００１６】
また、本実施形態の防音パネルｐ３は、前記防音パネルｐ１と同様に、防音パネルｐ２へ蝶番状に連結されている。
即ち、前記防音パネルｐ３は、その側面板１３と、防音パネルｐ２の側面板１３とにそれぞれ板状体２１、２２を当接させて取り付けられた蝶番状の連結部２により連結され、前記防音パネルｐ３が前記防音パネルｐ２の側方と前方の間で連結部２の軸部２３を回転軸とした回動が可能となされている。
【００１７】
本実施形態の防音パネル体Ｐの、防音パネルｐ１及び防音パネルｐ３には、前記連結部２が取り付けられた側端とは反対側の側端に、取付部３１を取り付けている。即ち、図１において、前記防音パネルｐ１の左側側端と、前記防音パネルｐ３の右側側端とに、それぞれ取付部３１を取り付けている。
前記取付部３１は、上下に間隔をあけて配置され、防音パネルｐ１と防音パネルｐ３とに４個づつ、合計８個がそれぞれ取り付けられている。
【００１８】
図４は図１の防音パネル体Ｐの取付部３１の概要を示す断面図である。
図４は、前記防音パネルｐ１に取り付けられた取付部３１を表している。
本実施形態の取付部３１は板状に形成されており、板状に形成された基部３２と軸部３３で連結されている。具体的には、前記取付部３１と基部３２とは、前記軸部３３で蝶番状に連結されて回動自在となされている。
前記基部３２はその板面を防音パネルｐ１の側面板１３へ当接させて取り付けられ、前記取付部３１がこの側面板１３に対して回動可能となされている。
また、前記基部３２は、連結された軸部３３の軸方向を上下へ向け、前記軸部３３が防音パネルｐ１の前縁付近に配置されるように防音パネルｐ１の側面板１３に取り付けられている。このように取り付けられることで、前記側面板１３に対して回動可能となされた前記取付部３１が、防音パネルｐ１の前縁付近に配置されるようになされると共に、軸部３３を回転軸として取付部３１を矢印Ｙの方向へ回動させて、前記取付部３１の前面側の板面である当接面３１ａの向きを調整できるように設けられている。
【００１９】
また、前記防音パネルｐ３に取り付けられた取付部３１は、前記防音パネルｐ１に取り付けられた取付部３１と同様に、防音パネルｐ３に取り付けられている。
即ち、前記取付部３１は板状に形成され、板状に形成された基部３２と軸部３３で蝶番状に連結されて回動自在となされており、基部３２の板面を防音パネルｐ３の側面板１３へ当接させて取り付けられ、取付部３１が防音パネルｐ３の前縁付近に配置されるようになされている。そして、軸部３３を回転軸として取付部３１を回動させて、その前面側の当接面３１ａの向きを、調整できるように設けている。
また、図１、２に示すように、前記各防音パネルｐ１、ｐ３に取り付けられた各取付部３１には、中央に円形の貫通穴３４がそれぞれ１個づつ形成されている。
【００２０】
図５は本発明に係る防音パネル体Ｐの取付構造の実施の一形態を示す、（イ）は平面図であり、（ロ）は正面図であり、図６は図５の防音パネル体Ｐの取付構造の背面図である。
図５、６では、間隔をおいて立設された２本の支柱Ｓ１、Ｓ２の間に図１〜４に示す実施形態の防音パネル体Ｐを設置させた状況を示しており、各支柱Ｓ１、Ｓ２の間に位置する街路灯Ｌを迂回して防音パネル体Ｐを設けた状況を示している。
前記街路灯Ｌは、立設された支柱Ｓ１、Ｓ２の中間位置よりやや後方側に位置し、本実施形態では、この街路灯Ｌのさらに後方側へ迂回させて防音パネル体Ｐを設けた状況を示している。
【００２１】
本実施形態の防音パネル体Ｐの取付構造では、図５において図中左側に配置した支柱Ｓ１に略直方体形状に形成させた防音部材５を取り付けると共に、図中右側に配置した支柱Ｓ２に略直方体形状に形成させた防音部材６を前記防音部材５と間隔をあけて取り付けており、前記街路灯Ｌが防音部材５と防音部材６との間に位置するように設けている。
そして、防音パネル体Ｐの防音パネルｐ１の取付部３１を前記防音部材５に取り付け、防音パネルｐ３の取付部３１を前記防音部材６に取り付けて、前記防音部材５と、防音部材６との間に形成された隙間を、取り付けた前記防音パネル体Ｐで塞ぐように設けている。
【００２２】
図７は図５の防音部材５を示す、（イ）は平面図であり、（ロ）は正面図であり、（ハ）は側面図であり、図８は図７の防音部材５の背面図である。
本実施形態の防音部材５は、前面を構成する前面板５１と、上側と下側とがそれぞれ前方へ折り曲げられて、上面と後面と下面とを構成する背面板５２と、両側の側面をそれぞれ構成する２個の側面板５３とを備える、中空箱状に形成させており、内側の中空部分に吸音材を内装させている。
前記前面板５１には、内側の中空部分に通じるスリット状の穴部Ｈを複数形成させており、前方側からの騒音が前記前記穴部Ｈから防音部材５の内側へ入り、吸音材で吸音させて効率良く低減させるように設けている。
【００２３】
本実施形態の防音部材５の後面には、被取付部５５が形成されている。
本実施形態の被取付部５５は、防音部材５の内側へ窪む横長の溝形状に形成されており、上下に並設されて４条の被取付部５５が形成されている。
また、前記各被取付部５５は、前記防音パネル体Ｐの防音パネルｐ１に取り付けられた、４個の取付部３１に設けられた各貫通穴３４に対応する上下配置にそれぞれ形成されている。
【００２４】
図９は防音部材５の被取付部５５の断面を示す図８のＡ−Ａ断面図である。
本実施形態の被取付部５５は、背面板５２に形成された横長筋状の切欠き５２ａと、この切欠き５２ａの形成位置に全長に亘って取り付けられた胴縁５６とから構成されている。
【００２５】
前記胴縁５６は、アルミニウム押出形材で形成されており、縦断面を全長に亘って同一形状に設けられている。
具体的には、胴縁５６は、平面状に形成された後面を備え、この後面に前方へ窪む蟻溝状のボルト挿入溝５６ａが形成された形状に設けられている。
前記胴縁５６は、後面を前記背面板５２の内側面へ当接させて固定されており、そのボルト挿入溝５６ａの形成位置を前記切欠き５２ａの位置に一致させて固定されている。尚、前記背面板の切欠き５２ａの幅は、溝の内側より幅狭に形成されたボルト挿入溝５６ａの開口縁の幅と同じ大きさに形成されている。
【００２６】
被取付部５５は、蟻溝状に形成された前記ボルト挿入溝５６ａの内側に固定ボルトＢのボルト頭部を収納させ、その雄ねじ部分を切欠き５２ａから背面板５２の後方へ突出させて取り付け可能に形成されており、取付部５５へ取り付けられた前記固定ボルトＢは、横方向へ摺動可能となされて、左右方向への位置調整が可能となされる。
【００２７】
また、本実施形態の右側の防音部材６は、前記左側の防音部材５に対して左右対称形状に形成されていること以外は、左側の防音部材５と同じ構成となされている。
【００２８】
図１０は図５の防音パネル体Ｐの取付部３１と防音部材５との取り付けの状況を示す要部の平面図である。
図１０では、図面の簡略化のために、後述する軸止部材７の図示を省略している。
前記防音パネル体Ｐの防音パネルｐ１は、前記取付部３１の当接面３１ａを、防音部材５の後面へ当接させて取り付けられている。
具体的には、前記防音部材５の後面に形成された被取付部５５へ、雄ねじ部分を後方へ突出させて固定ボルトＢを取り付け、この固定ボルトＢの雄ねじ部分を防音パネルｐ１の取付部３１の貫通穴３４へ挿通させた後、この雄ねじ部分に後方からナットＮを螺結させて、前記防音部材５へ、防音パネルｐ１を取り付けている。
前記取付部３１は、軸部３３へ蝶番状に連結されているため、取付部３１を回動させてその当接面３１ａの方向を調整し、被取付部５５の形成された防音部材５の後面へ良好に当接させて、防音パネルｐ１の取付部３１を防音部材５へ安定的に取り付けることができる。
【００２９】
本実施形態の防音パネルＰの取付構造においては、上記のように固定ボルトＢとナットＮを用いて防音パネルｐ１の取付部３１を防音部材５へ取り付けた後、前記防音パネルｐ１と防音部材５とにまたがらせて固定板７を取り付けている。
本実施形態の固定板７は、くの字形状の平板に形成されており、具体的には、図５（イ）に示すように、前記取付部３１を介して取り付けられた、防音パネルｐ１と防音部材５とのなす角と同じ角度で曲がるくの字形状に形成されている。
そして、前記固定板７は、その下面を、前記防音パネルｐ１の上面と、前記防音部材５の上面とにそれぞれ当接させてこれらの間に架け渡され、鋲着されて取り付けられている。
固定板７を架け渡して取り付けることで、防音パネルｐ１を防音部材５へ取り付ける前記取付部３１と基部３２との回動が防止され、防音パネルｐ１の揺動などが生じにくくなされて防音部材５へ安定的に取り付けられる。
【００３０】
防音部材５に対して左右対称形状に形成された、防音部材６への防音パネルｐ３の取り付けは、前記防音部材５への防音パネルｐ１の取り付けと同様になされている。
即ち、前記防音部材６に形成された被取付部５５に雄ねじ部分を後方へ突出させて固定ボルトを取り付け、この固定ボルトの雄ねじ部分を防音パネルｐ３の取付部３１の貫通穴３４へ挿通させた後、この雄ねじ部分に後方からナットを螺結させて、前記防音部材６へ防音パネルｐ３を取り付けている。
そして、防音部材６の上面と防音パネルｐ３の上面とに架け渡して、くの字形状の固定板７を取り付け、前記取付部３１と基部３２との回動を防止している。
【００３１】
本実施形態の前記防音パネル体Ｐの取付構造において、各防音パネルｐ１、ｐ３は、前記防音パネルｐ２の両側の側端からそれぞれ前方側へ延びるように配置され、防音パネル体Ｐの全体の平面形状が略コの字状に設けられている。詳細には、図５（イ）に示すように、前記各防音パネルｐ１、ｐ３は、前方に至るほど互いの間隔が広がるようにそれぞれ斜め前方向へ向かうように配置されている。
【００３２】
上記のように配置された防音パネルｐ１を、支柱Ｓ１に取り付けられた防音部材５へ取り付け、防音パネルｐ３を支柱Ｓ２に取り付けられた防音部材６へ取り付けて、防音パネル体Ｐを支柱Ｓ１、Ｓ２間に設置させている。
具体的には、図５において、図中左側に配置された防音部材５の右側付近の後面に前記防音パネルｐ１を取り付け、図中右側に配置された防音部材６の左側付近の後面に前記防音パネルｐ３を取り付けて、前記防音部材５と防音部材６との間に形成された隙間を、取り付けられた防音パネル体Ｐで塞ぐように設けており、詳細には、前記防音部材５、６の間に架け渡されて取り付けられた防音パネル体Ｐの防音パネルｐ２が、前記防音部材５と防音部材６との間に位置する街路灯Ｌの後方に配置されるように設けている。
【００３３】
前記防音パネル体Ｐ、及び各防音部材５、６は、それぞれ穴部Ｈが形成された前方側からの騒音を内装する前記吸音材で効率良く吸音されるように設けている。本実施形態の防音パネル体Ｐの取付構造においては、防音パネル体Ｐを前記街路灯Ｌの後方側へ迂回させて設けることで、街路灯Ｌの整備などを防音パネル体Ｐの前方側、即ち高速道路などにおいては吸音すべき騒音の生じる車道側から実施できるように設けている。
【００３４】
図１１は本発明に係る防音パネル体Ｐの取付構造の実施の他の一形態を示す平面図である。
本実施形態においては、立設された支柱Ｓ１、Ｓ２の中間より、若干前方側に位置する街路灯Ｌの後方側を迂回させて、防音パネル体Ｐを設けた状況を示している。
本実施形態の防音パネル体Ｐの取付構造は、防音部材５の後面における防音パネルｐ１の取付部３１の取り付け位置と、防音部材６の後面における防音パネルｐ３の取付部３１の取り付け位置と、前記各取付部３１と基部３２との回動を防止する固定板７の形状とが、図５〜１０に示す実施形態と異なる主な事項である。
【００３５】
本実施形態の支柱Ｓ１、Ｓ２、及び防音部材５、６は、前記図５〜１０に示す実施形態と同一の形状と配置に設けられている。
また、本実施形態の防音パネル体Ｐは図１〜４に示す実施形態と同じ構成に設けられており、各防音パネルｐ１、ｐ３が、図５〜１０に示す実施形態と比較して、より外側側方へ延びるように各連結部２で回動させてそれぞれ配置させている。
【００３６】
前記防音パネルｐ１と防音部材５との取り付け、及び防音パネルｐ３と防音部材６との取り付けは、各取付部３１が防音部材５、６の横方向中央付近へそれぞれ取り付けられる点以外は、図５〜１０に示す実施形態と同様である。
即ち、前記各防音部材５、６に形成された被取付部５５に雄ねじ部分を後方へ突出させて固定ボルトをそれぞれ取り付け、この固定ボルトの雄ねじ部分を防音パネルｐ１、ｐ３の各取付部３１の貫通穴３４へ挿通させた後、この雄ねじ部分に後方からナットを螺結させて、前記各防音部材５、６へ防音パネルｐ１、ｐ３をそれぞれ取り付けている。
そして、防音部材５の上面と防音パネルｐ１の上面とに、平板形状の固定板７の下面を当接させ、架け渡して取り付けると共に、防音部材６と防音パネルｐ３との間に前記固定板７を同様に架け渡して取り付けて、前記取付部３１と基部３２の回動を防止している。
【００３７】
防音パネルｐ２の斜め前方向へ配置させる前記各防音パネルｐ１、ｐ３を、より外側側方へ延びるようにそれぞれ配置させて、前記各防音部材５、６へ取り付けることで、防音パネルｐ２がより前方側に配置されるように防音パネル体Ｐが設けられる。
このため、立設された支柱Ｓ１、Ｓ２の中間位置より前方側に位置する街路灯Ｌと、その後方側を迂回させて設けた防音パネル体Ｐとの間隔が、必要以上に大きくなることなく、防音パネル体Ｐを設置させることができる。
【００３８】
上記のように、立設する各支柱Ｓ１、Ｓ２間に街路灯Ｌ等の障害物が存在し、これを迂回して防音パネル体を設置させようとする場合や、測量時や各防音パネルの生産時などにおけるミスで製品寸法や各支柱の立設位置に誤差などが生じた場合でも、図１〜４に示す実施形態の防音パネル体Ｐを用いることで、前記各連結部２で蝶番状に連結させた各防音パネルｐ１〜ｐ３を回動させ、防音パネル体Ｐの全体の形状を容易に調整して、設置させることができる。
また、前記各防音パネルｐ１〜ｐ３を連結部２で回動させて防音パネル体Ｐの全体の形状を調整したときでも、前記取付部３１を回動させ、その当接面３１ａの向きを調整して防音部材５、６の後面などの被取付部などへ好適に当接させて取り付けることができる。
【００３９】
また、防音部材５、６の後面にそれぞれ被取付部５５を形成させ、取り付けた固定ボルトＢを左右方向へ位置調整可能に前記各被取付部５５を設けることで、この固定ボルトＢを介して各被取付部５５へ取り付ける防音パネル体Ｐの各取付部３１の取り付け位置を、左右方向へ調整できるようになされる。
このため、前記各防音パネルｐ１〜ｐ３の連結部２を回動させて防音パネル体Ｐの全体の形状を調整させても、各被取付部５５に取り付けた固定ボルトＢの位置を調整して、防音部材５、６の好適な位置に各防音パネルｐ１、ｐ３を取り付けることができる。
【００４０】
図１〜４に示す実施形態の防音パネル体Ｐは、連結部２の２枚の板状体２１、２２を、それぞれ各防音パネルｐ１や、ｐ２や、ｐ３の側面板１３の板面に直接当接させて取り付けているが、これに限るものではなく、各防音パネルｐ１、ｐ３をそれぞれ防音パネルｐ２の側方から前方へ回動可能に連結できる他の構成を用いて良く、例えば、連結部２の板状体２１、２２を側面板１３以外の他の部材に当接させて固定させてもよい。
また、前記各取付部３１へ蝶番状に連結される基部３２を、各防音パネルｐ１、ｐ３の側面板１３に直接取り付けているが、これに限るものではなく、前記取付部３１を側面板１３に対して回動可能に設けることができる他の構成を用いて良く、例えば基部３２を側面板１３以外の他の部材に当接させて取り付けてもよい。
【００４１】
また、図１〜４に示す実施形態の防音パネル体Ｐは、３個の防音パネルｐ１〜ｐ３を連結部２で連結させて回動可能に設けているが、２個の防音パネルを連結部２で蝶番状に連結させて回動可能に設けても良い。
【符号の説明】
【００４２】
１１  前面板
１２  背面板
１３  側面板
２    連結部
２１  板状体
２２  板状体
２３  軸部
３１  取付部
３２  基部
３３  軸部
３４  貫通穴
５    防音部材
５１  前面板
５２  背面板
５３  側面板
５５  被取付部
５６  胴縁
６    防音部材
７    固定板
Ｂ    固定ボルト
Ｈ    穴部
Ｌ    街路灯
Ｎ    ナット
Ｐ    防音パネル体
ｐ１  防音パネル
ｐ２  防音パネル
ｐ３  防音パネル
Ｓ１  支柱
Ｓ２  支柱
【図１】
2014058806.tif 000003
【図２】
2014058806.tif 000004
【図３】
2014058806.tif 000005
【図４】
2014058806.tif 000006
【図５】
2014058806.tif 000007
【図６】
2014058806.tif 000008
【図７】
2014058806.tif 000009
【図８】
2014058806.tif 000010
【図９】
2014058806.tif 000011
【図１０】
2014058806.tif 000012
【図１１】
2014058806.tif 000013